(57)【要約】【課題】  セルサーチ時間を短縮することができる通信端末装置を得る。【解決手段】  セルサーチを行なう際、まず所定の捜索周波数範囲（Ｆｉｎｉ〜Ｆｅｎｄ）に対して所定の周波数ステップ幅Ｆｓｔｅｐ間隔で非同期検波を行なって各周波数における受信信号レベル（ＲＳＳＩ）の測定を行なう。ＲＳＳＩ測定の後、閾値を超える受信信号レベルを有する周波数を中心としてステップ幅Ｆｓｔｅｐを有する周波数範囲に対して同期検波処理を行なうことにより（ステップＳ８）、セルサーチを行なう。【選択図】      図３
2006080701.tif 000002
【特許請求の範囲】
【請求項１】
所定の捜索周波数範囲をスキャンしてセルサーチを行なう制御手段を含む通信端末装置であって、
前記制御手段は、前記捜索周波数範囲に対して非同期検波を行なって受信信号レベルを測定し、この測定の結果に応じて希望波が存在する可能性があると判断される周波数範囲（以下、同期検波周波数範囲と称す）に対して同期検波を行なってセルを検出するようにしたことを特徴とする通信端末装置。
【請求項２】
前記制御手段は、前記捜索周波数範囲に対して所定の周波数ステップ幅間隔で非同期検波を行なって受信信号レベルを測定し、閾値を超える受信信号レベルを有する周波数を中心として前記周波数ステップ幅を有する周波数範囲を前記同期検波周波数範囲とすることを特徴とする請求項１記載の通信端末装置。
【請求項３】
前記制御手段は、前記同期検波周波数範囲に対して所定の周波数ステップ幅間隔で同期検波を行なってセルを検出するようにしたことを特徴とする請求項２記載の通信端末装置。
【請求項４】
前記制御手段は、同期検波を行なうべき前記同期検波周波数範囲がそれより周波数が大である前記同期検波周波数範囲に隣接する場合、同期検波を行なうべき前記同期検波周波数範囲の上限周波数から同期検波を開始し、同期検波を行なうべき前記同期検波周波数範囲がそれより周波数が小である前記同期検波周波数範囲に隣接する場合、同期検波を行なうべき前記同期検波周波数範囲の下限周波数から同期検波を開始し、同期検波を行なうべき前記同期検波周波数範囲に隣接する前記同期検波周波数範囲がない場合、及び同期検波を行なうべき前記同期検波周波数範囲がそれより周波数が大である前記同期検波周波数範囲と周波数が小である前記同期検波周波数範囲とに隣接する場合、同期検波を行なうべき前記同期検波周波数範囲の中心周波数から同期検波を開始するようにしたことを特徴とする請求項３記載の通信端末装置。
【請求項５】
所定の捜索周波数範囲をスキャンしてセルサーチを行なう通信端末装置のセルサーチ方法であって、
前記捜索周波数範囲に対して非同期検波を行なって受信信号レベルを測定する第１のステップと、この測定の結果に応じて希望波が存在する可能性があると判断される周波数範囲（以下、同期検波周波数範囲と称す）に対して同期検波を行なってセルを検出する第２のステップとを含むことを特徴とするセルサーチ方法。
【請求項６】
前記第１のステップは、前記捜索周波数範囲に対して所定の周波数ステップ幅間隔で非同期検波を行なって受信信号レベルを測定し、前記第２のステップは、閾値を超える受信信号レベルを有する周波数を中心として前記周波数ステップ幅を有する周波数範囲を前記同期検波周波数範囲とすることを特徴とする請求項５記載のセルサーチ方法。
【請求項７】
前記第２のステップは、前記同期検波周波数範囲に対して所定の周波数ステップ幅間隔で同期検波を行なってセルを検出するようにしたことを特徴とする請求項６記載のセルサーチ方法。
【請求項８】
前記第２のステップは、同期検波を行なうべき前記同期検波周波数範囲がそれより周波数が大である前記同期検波周波数範囲に隣接する場合、同期検波を行なうべき前記同期検波周波数範囲の上限周波数から同期検波を開始し、同期検波を行なうべき前記同期検波周波数範囲がそれより周波数が小である前記同期検波周波数範囲に隣接する場合、同期検波を行なうべき前記同期検波周波数範囲の下限周波数から同期検波を開始し、同期検波を行なうべき前記同期検波周波数範囲に隣接する前記同期検波周波数範囲がない場合、及び同期検波を行なうべき前記同期検波周波数範囲がそれより周波数が大である前記同期検波周波数範囲と周波数が小である前記同期検波周波数範囲とに隣接する場合、同期検波を行なうべき前記同期検波周波数範囲の中心周波数から同期検波を開始するようにしたことを特徴とする請求項７記載のセルサーチ方法。
【請求項９】
所定の捜索周波数範囲をスキャンしてセルサーチを行なう通信端末装置のセルサーチ方法をコンピュータに実行させるためのプログラムであって、
前記捜索周波数範囲に対して非同期検波を行なって受信信号レベルを測定する第１のステップと、この測定の結果に応じて希望波が存在する可能性があると判断される周波数範囲（以下、同期検波周波数範囲と称す）に対して同期検波を行なってセルを検出する第２のステップとを含むことを特徴とするプログラム。
【請求項１０】
前記第１のステップは、前記捜索周波数範囲に対して所定の周波数ステップ幅間隔で非同期検波を行なって受信信号レベルを測定し、前記第２のステップは、閾値を超える受信信号レベルを有する周波数を中心として前記周波数ステップ幅を有する周波数範囲を前記同期検波周波数範囲とすることを特徴とする請求項９記載のプログラム。
【発明の詳細な説明】
【技術分野】
【０００１】
本発明は通信端末装置、セルサーチ方法及びプログラムに関し、特に所定の捜索周波数範囲をスキャンしてセルサーチを行なう通信端末装置に関する。
【背景技術】
【０００２】
従来のバンドサーチ（セルサーチ）方法では、通信端末装置である携帯端末機は、全バンド範囲Ｆｗをチャンネルラスター（Ｃｈａｎｎｅｌ  Ｒａｓｔｅｒ）Ｆｒ毎に、同期検波を実施している。したがって、必ず、Ｆｗ／Ｆｒ個の周波数で同期検波が行なわれることになる。
なお、このように全バンド範囲を捜引してセルサーチを行なうことは、例えば非特許文献１に記載されている。
【０００３】
【非特許文献１】３ＧＰＰ  ＴＳ  ２５．３０４，５．１．２．２章，２００４年６月
【発明の開示】
【発明が解決しようとする課題】
【０００４】
このように、従来のセルサーチ方法では、全バンド範囲ＦｗをチャンネルラスターＦｒ毎に同期検波をしているため、Ｆｗ／Ｆｒ個の周波数で同期検波が行なわれることになり、セルサーチに時間がかかってしまう。セルサーチに時間がかかると、携帯端末機が圏外から圏内へ移った際の位置登録に時間がかかるという問題がある。
【０００５】
本発明の目的は、セルサーチ時間を短縮することができる通信端末装置、セルサーチ方法及びプログラムを提供することである。
【課題を解決するための手段】
【０００６】
本発明による通信端末装置は、所定の捜索周波数範囲をスキャンしてセルサーチを行なう制御手段を含む通信端末装置であって、前記制御手段は、前記捜索周波数範囲に対して非同期検波を行なって受信信号レベルを測定し、この測定の結果に応じて希望波が存在する可能性があると判断される周波数範囲（以下、同期検波周波数範囲と称す）に対して同期検波を行なってセルを検出するようにしたことを特徴とする。
【０００７】
前記通信端末装置において、前記制御手段は、前記捜索周波数範囲に対して所定の周波数ステップ幅間隔で非同期検波を行なって受信信号レベルを測定し、閾値を超える受信信号レベルを有する周波数を中心として前記周波数ステップ幅を有する周波数範囲を前記同期検波周波数範囲とすることを特徴とする。
【０００８】
本発明によるセルサーチ方法は、所定の捜索周波数範囲をスキャンしてセルサーチを行なう通信端末装置のセルサーチ方法であって、前記捜索周波数範囲に対して非同期検波を行なって受信信号レベルを測定する第１のステップと、この測定の結果に応じて希望波が存在する可能性があると判断される周波数範囲（以下、同期検波周波数範囲と称す）に対して同期検波を行なってセルを検出する第２のステップとを含むことを特徴とする。
【０００９】
前記セルサーチ方法において、前記第１のステップは、前記捜索周波数範囲に対して所定の周波数ステップ幅間隔で非同期検波を行なって受信信号レベルを測定し、前記第２のステップは、閾値を超える受信信号レベルを有する周波数を中心として前記周波数ステップ幅を有する周波数範囲を前記同期検波周波数範囲とすることを特徴とする。
【００１０】
本発明によるプログラムは、所定の捜索周波数範囲をスキャンしてセルサーチを行なう通信端末装置のセルサーチ方法をコンピュータに実行させるためのプログラムであって、前記捜索周波数範囲に対して非同期検波を行なって受信信号レベルを測定する第１のステップと、この測定の結果に応じて希望波が存在する可能性があると判断される周波数範囲（以下、同期検波周波数範囲と称す）に対して同期検波を行なってセルを検出する第２のステップとを含むことを特徴とする。
【００１１】
前記プログラムにおいて、前記第１のステップは、前記捜索周波数範囲に対して所定の周波数ステップ幅間隔で非同期検波を行なって受信信号レベルを測定し、前記第２のステップは、閾値を超える受信信号レベルを有する周波数を中心として前記周波数ステップ幅を有する周波数範囲を前記同期検波周波数範囲とすることを特徴とする。
【００１２】
このように、本発明では、セルサーチを行なう際、まず捜索周波数範囲に対して所定の周波数ステップ幅間隔で非同期検波を行なって各周波数における受信信号レベルの測定を行なう。その後、閾値を超える受信信号レベルを有する周波数を中心として上記周波数ステップ幅を有する周波数範囲に対して同期検波を行なってセルを検出するようにしている。
【発明の効果】
【００１３】
本発明によれば、所定の捜索周波数範囲をスキャンしてセルサーチを行なう通信端末装置において、捜索周波数範囲に対して非同期検波を行なって受信信号レベルを測定し、この測定の結果に応じて希望波が存在する可能性があると判断される周波数範囲に対して同期検波を行なってセルを検出することにより、セルサーチ時間を短縮することができるという効果が得られる。
【発明を実施するための最良の形態】
【００１４】
以下、本発明の実施例について図面を参照して説明する。
【００１５】
図１は本発明の第１の実施例による携帯端末機の受信部の構成を示す図である。図１を参照すると、本発明の第１の実施例による携帯端末機の受信部は、アンテナ部１と、ＬＮＡ部２と、バンドパスフィルター（ＢＰＦ）部３と、ミキサー部４と、可変増幅器部（ＡＧＣ）５と、直交復調器部（ＤＥＭ）６と、Ａ／Ｄ変換器部７と、アンチエリアジングフィルター部（ＡＡＦ）８と、ベースバンド部９と、ＣＰＵ部１０と、ＰＬＬシンセサイザー部１１とから構成される。
【００１６】
ミキサー部４はＰＬＬシンセサイザー部１１より、ローカル信号が供給される。ＰＬＬシンセサイザー部１１ではＣＰＵ部１０により周波数が制御されている。可変増幅器部５では、ベースバンド信号（Ｉ，Ｑ）の振幅が一定となるように閉ループ制御されている。
【００１７】
セルサーチを行なう場合、携帯端末機のＣＰＵ部１０は、まず捜索対象目標周波数となるように、ＰＬＬシンセサイザー部１１の周波数を制御する。次に、ベースバンド信号が一定となるように可変増幅器５が制御される。この時、可変増幅器５のゲイン制御値から、携帯端末機は受信された信号のレベル（ＲＳＳＩ：Ｒｅｃｅｉｖｅｄ  Ｓｉｇｎａｌ  Ｓｔｒｅｎｇｔｈ  Ｉｎｄｉｃａｔｏｒ）を知ることができる。可変増幅器５のゲイン制御が完了すると、ベースバンド部９は同期検波を実施する。
【００１８】
図１に示したような受信部の構成は一般的な無線受信機の構成と変わらないため、その動作の詳細は省略する。
【００１９】
次に、本発明の第１の実施例による携帯端末機の動作について図面を参照して説明する。
【００２０】
図２は本発明の第１の実施例による携帯端末機の動作の概要を説明するための図である。図２に示すようにセルサーチの際、携帯端末機はまず、全ハンド範囲である所定の捜索周波数範囲に対し受信信号バンド幅Ｆｃｈの１〜２倍のステップ幅Ｆｓｔｅｐで非同期検波を実施し、これにより希望波の存在を捜索してから、希望波が存在する付近のみチャンネルラスターＦｒ毎に同期検波を実施する。このように、非同期検波の結果から希望波が存在しないと判断される周波数範囲での同期検波を行なわないようにしているので、セルサーチ時間が短縮される。
【００２１】
図３は本発明の第１の実施例による携帯端末機の非同期検波動作を示すフローチャートであり、図４は本発明の第１の実施例による携帯端末機の同期検波動作を示すフローチャートである。
【００２２】
図３において、セルサーチを行なう際、携帯端末機のＣＰＵ部１０はまず、初期周波数Ｆｉｎｉ（ここでは所定の捜索周波数範囲の下限周波数）を非同期検波する周波数である設定周波数Ｆｃｕｒに設定し、ＰＬＬシンセサイザー部１１に初期周波数を設定する（ステップＳ１）。設定周波数Ｆｃｕｒが所定の捜索周波数範囲の上限周波数Ｆｅｎｄより大であれば（ステップＳ２，Ｙｅｓ）、同期検波処理へ進む（ステップＳ８）、すなわち図４のフローへ移行する。
【００２３】
設定周波数Ｆｃｕｒが上限周波数Ｆｅｎｄより小であれば（ステップＳ２，Ｎｏ）、設定周波数Ｆｃｕｒにおける受信信号レベル（ＲＳＳＩ）の測定が行なわれる（ステップＳ３）。そして、ＣＰＵ部１０は、受信信号レベル（ＲＳＳＩ）の閾値判定を行い、受信信号レベル（ＲＳＳＩ）が閾値よりも大きい場合は（ステップＳ４，Ｙｅｓ）、設定周波数ＦｃｕｒをＦｎとして受信信号レベルと共に図示せぬメモリに記録する（図５参照）（ステップＳ５及びＳ６）。受信信号レベルが閾値より小である場合は（ステップＳ４，Ｎｏ）、メモリへの記録を行なうことなくステップＳ７へ進む。
【００２４】
ステップＳ７において、ＣＰＵ部１０は、設定周波数Ｆｃｕｒを所定のステップ幅Ｆｓｔｅｐ分変化させ、ステップＳ２へ戻る。以上の動作を捜索周波数範囲（Ｆｉｎｉ〜Ｆｅｎｄ）で行い、図５に示すような非同期検波検出波リストを作成する。
【００２５】
上述したように、設定周波数Ｆｃｕｒが上限周波数Ｆｅｎｄより大となれば（ステップＳ２，Ｙｅｓ）、図４のフローへ移行する。図４において、ＣＰＵ部１０はまず、パラメータｍを１に設定し（ステップＳ１１）、図５に示す非同期検波検出波リストからｍ番目に大きい受信信号レベル（ＲＳＳＩ）を有する周波数を選択し（ステップＳ１２）、選択された周波数（Ｍｅｍｏｒｙ＿Ｆ（ｎ））を中心周波数としてステップ幅Ｆｓｔｅｐを範囲とする周波数範囲（同期検波周波数範囲）の下限周波数に設定周波数Ｆｃｕｒを設定する（ステップＳ１３）。
【００２６】
その後、同期検波が実行される（ステップＳ１４）。その結果、セルが検出されたならば（ステップＳ１５，Ｙｅｓ）、ＣＰＵ部１０は、選択された周波数（Ｍｅｍｏｒｙ＿Ｆ（ｎ））をＦｋとしてＣＰＩＣＨ（共通パイロットチャネル）の受信パワーである受信電界レベル（ＲＳＣＰ：Ｒｅｃｅｉｖｅｄ  Ｓｉｇｎａｌ  Ｃｏｄｅ  Ｐｏｗｅｒ）と共に図示せぬメモリに記録する（図６参照）（ステップＳ１６及びＳ１７）。セルが検出されないならば（ステップＳ１５，Ｎｏ）、メモリへの記録を行なうことなくステップＳ１８へ進む。
【００２７】
ステップＳ１８において、ＣＰＵ部１０は、設定周波数ＦｃｕｒをチャンネルラスターＦｒ分変化させ、そして、この設定周波数Ｆｃｕｒが上記同期検波周波数範囲の上限周波数より小であれば（ステップＳ１９，Ｎｏ）、ステップＳ１４に戻り、この設定周波数Ｆｃｕｒにて同期検波が実行される。
【００２８】
設定周波数Ｆｃｕｒが上記同期検波周波数範囲の上限周波数より大である場合（ステップＳ１９，Ｙｅｓ）、ＣＰＵ部１０は、ｎ（閾値を超えるＲＳＳＩを有する周波数の数）とｍ（これらｎ個の周波数のうち既に同期検波が行われた周波数の数）とを比較する（ステップＳ２０）。
【００２９】
ｍ＝ｎでなければ（ステップＳ２０，Ｎｏ）、まだ同期検波がなされていない同期検波周波数範囲があるので、ＣＰＵ部１０はｍの値をインクリメントし（ステップＳ２１）、ステップＳ１２に戻る。このように、非同期検波により得られた図５の非同期検波検出波リストにある周波数をそれぞれ中心周波数としステップ幅Ｆｓｔｅｐを範囲とする同期検波周波数範囲の各々について、受信信号レベルが大きい順にチャンネルラスターＦｒずつ周波数を変化させて同期検波が行なわれる。その結果、図６に示すような同期検波検出波リストが作成される。
【００３０】
全ての同期検波周波数範囲についての同期検波終了を示すｍ＝ｎであれば（ステップＳ２０，Ｙｅｓ）、ＣＰＵ部１０は、図６の同期検波検出波リストから最も受信電界レベル（ＲＳＣＰ）の大きいセルの報知情報（ＢＣＣＨ：Ｂｒｏａｄｃａｓｔ  Ｃｏｎｔｒｏｌ  Ｃｈａｎｎｅｌ）の取得を行い、適したセルに位置登録を実施する（ステップＳ２２）。
【００３１】
同期検波は非同期検波よりも時間がかかる。また、受信信号の中心周波数にＰＬＬシンセサイザーを合わせる必要があるため、サーチすべき周波数が多い。本発明の第１の実施例では、非同期検波（ＲＳＳＩ測定）を行なうことにより、希望波が存在しない周波数範囲での同期検波を行なわないため、サーチすべき周波数が減少し、セルサーチ時間が短縮できる。これにより、従来よりも、携帯端末機が圏外から圏内へ入った際の位置登録を早く行なうことが可能となる。
【００３２】
次に、本発明の第２の実施例について図面を参照して説明する。本発明の第２の実施例では、その携帯端末機の構成は図１の構成と同一であり、その非同期検波動作も図３のフローチャートに従うが、その同期検波動作が第１の実施例と異なる。
【００３３】
非同期検波時の周波数ステップ幅Ｆｓｔｅｐ（図２参照）と受信チャンネル幅Ｆｃｈ（図２参照）の比を１とした場合、受信波（希望波）の中心周波数Ｆｃ（図２参照）に近い部分に設定周波数Ｆｃｕｒが当たる場合、非同期検波において検出される周波数は、希望波が１つの場合は１つとなる。一方、中心周波数Ｆｃ及びチャンネル幅Ｆｃｈを持つ希望波の上限周波数または下限周波数に近い部分に設定周波数Ｆｃｕｒが当たる場合、非同期検波において検出される周波数は、受信波が１つの場合でも２つとなり、その時は連続して検出される。
【００３４】
従って、非同期検波により、閾値を超えるレベルを有する周波数が連続して検出された場合、同期検波時の開始周波数を連続した周波数の中間に設定し、一方、連続していない場合は、検出された周波数を同期検波時の開始周波数に設定すると、同期検波においてセルを早く検出することができる。
【００３５】
図７は本発明の第２の実施例による携帯端末機の同期検波動作を示すフローチャートであり、図４と同等部分は同一符号にて示している。図７を参照すると、ステップＳ１００では、ステップＳ１２にて選択された周波数を中心としてステップ幅Ｆｓｔｅｐを有する同期検波周波数範囲内のどの周波数から同期検波を開始するかを決定する。
【００３６】
ここで、ステップＳ１２にて選択された周波数をＦｍとすると、周波数Ｆｍ＋Ｆｓｔｅｐ及び周波数Ｆｍ−Ｆｓｔｅｐの周波数のいずれもが閾値を超えるＲＳＳＩを有する場合、すなわち図５のリストに上記の２つの周波数がある場合、ステップＳ１００では設定周波数ＦｃｕｒはＦｍとされ、Ｆｍから同期検波が開始される。
【００３７】
そして、ステップＳ１０１において設定周波数Ｆｃｕｒが変更されるが、この場合は、設定周波数Ｆｃｕｒの初期値Ｆｍを中心としてチャンネルラスターＦｒずつ上下それぞれサーチされるよう、設定周波数Ｆｃｕｒが変更される。例えば、Ｆｍが２１４０ＭＨｚ、Ｆｓｔｅｐが６ＭＨｚ、Ｆｒが２００ＫＨｚとすれば、設定周波数Ｆｃｕｒは、２１４０ＭＨｚ，２１４０．２ＭＨｚ，２１３９．８ＭＨｚ，２１４０．４ＭＨｚ，・・・，２１４３ＭＨｚ，２１３７ＭＨｚの順に変更されることになる。そして、これら周波数全てについてサーチが終了すれば、ステップＳ１０２において、この同期検波周波数範囲についての同期検波処理終了と判断されて、ステップＳ２０へ進む。
【００３８】
また、Ｆｍ−Ｆｓｔｅｐの周波数におけるＲＳＳＩが閾値以下で、Ｆｍ＋ＦｓｔｅｐにおけるＲＳＳＩが閾値より大である場合、ステップＳ１００では設定周波数ＦｃｕｒはＦｍ＋Ｆｓｔｅｐ／２とされ、これから同期検波が開始される。
【００３９】
そして、ステップＳ１０１では、この場合は、設定周波数Ｆｃｕｒの初期値Ｆｍ＋Ｆｓｔｅｐ／２からチャンネルラスターＦｒずつ周波数を減じてサーチされるよう、設定周波数Ｆｃｕｒが変更される。例えば、Ｆｍが２１４０ＭＨｚ、Ｆｓｔｅｐが６ＭＨｚ、Ｆｒが２００ＫＨｚとすれば、設定周波数Ｆｃｕｒは、２１４３ＭＨｚ，２１４２．８ＭＨｚ，２１４２．６ＭＨｚ，・・・，２１３７ＭＨｚの順に変更されることになる。そして、これら周波数全てについてサーチが終了すれば、ステップＳ１０２において、この同期検波周波数範囲についての同期検波処理終了と判断されて、ステップＳ２０へ進む。
【００４０】
また、Ｆｍ−Ｆｓｔｅｐの周波数におけるＲＳＳＩが閾値より大で、Ｆｍ＋ＦｓｔｅｐにおけるＲＳＳＩが閾値以下である場合、ステップＳ１００では設定周波数ＦｃｕｒはＦｍ−Ｆｓｔｅｐ／２とされ、これから同期検波が開始される。
【００４１】
そして、ステップＳ１０１では、この場合は、設定周波数Ｆｃｕｒの初期値Ｆｍ−Ｆｓｔｅｐ／２からチャンネルラスターＦｒずつ周波数を増加させてサーチされるよう、設定周波数Ｆｃｕｒが変更される。例えば、Ｆｍが２１４０ＭＨｚ、Ｆｓｔｅｐが６ＭＨｚ、Ｆｒが２００ＫＨｚとすれば、設定周波数Ｆｃｕｒは、２１３７ＭＨｚ，２１３７．２ＭＨｚ，２１３７．４ＭＨｚ，・・・，２１４３ＭＨｚの順に変更されることになる。そして、これら周波数全てについてサーチが終了すれば、ステップＳ１０２において、この同期検波周波数範囲についての同期検波処理終了と判断されて、ステップＳ２０へ進む。
【００４２】
また、周波数Ｆｍ＋Ｆｓｔｅｐ及び周波数Ｆｍ−Ｆｓｔｅｐの周波数のいずれにおいてもＲＳＳＩが閾値以下である場合、ステップＳ１００では設定周波数ＦｃｕｒはＦｍとされ、これから同期検波が開始される。
【００４３】
そして、ステップＳ１０１では、この場合は、設定周波数Ｆｃｕｒの初期値Ｆｍを中心としてチャンネルラスターＦｒずつ上下それぞれサーチされるよう、設定周波数Ｆｃｕｒが変更される。例えば、Ｆｍが２１４０ＭＨｚ、Ｆｓｔｅｐが６ＭＨｚ、Ｆｒが２００ＫＨｚとすれば、設定周波数Ｆｃｕｒは、２１４０ＭＨｚ，２１４０．２ＭＨｚ，２１３９．８ＭＨｚ，２１４０．４ＭＨｚ，・・・，２１４３ＭＨｚ，２１３７ＭＨｚの順に変更されることになる。そして、これら周波数全てについてサーチが終了すれば、ステップＳ１０２において、この同期検波周波数範囲についての同期検波処理終了と判断されて、ステップＳ２０へ進む。
【００４４】
このように、本発明の第２の実施例では、非同期検波の結果から、受信波の中心周波数Ｆｃを推定して、同期検波時の初期周波数を決めているため、セルを早く検出することができる。
【００４５】
あるセルが検出されると、そのセルの周波数に対して±Ｆｃｈにはセルはいないので、同期検波においてサーチすべき周波数はＦｃｈだけ飛ばすことができる。したがって、図４及び図７に示した各フローチャートにおいて、ステップＳ１５において検出されたセルの周波数に対して±Ｆｃｈの範囲についてはステップＳ１４の同期検波処理を行なわないようにして、セルサーチ時間をさらに短縮するようにしてもよい。
【００４６】
本発明の第２の実施例では、上述のように同期検波時の初期周波数の設定に工夫をしていることによりセルを早く検出することができるので、検出されたセルの周波数に対して±Ｆｃｈの範囲について同期検波処理を行なわないようにすることで、第１の実施例よりもセルサーチ時間をより短縮することができる。
【００４７】
なお、図３、図４及び図７に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００４８】
【図１】本発明の第１の実施例による携帯端末機の受信部の構成を示す図である。
【図２】本発明の第１の実施例による携帯端末機の動作の概要を説明するための図である。
【図３】本発明の第１の実施例による携帯端末機の非同期検波動作を示すフローチャートである。
【図４】本発明の第１の実施例による携帯端末機の同期検波動作を示すフローチャートである。
【図５】図３のフローチャートに従って作成される非同期検波検出波リストの例を示す図である。
【図６】図４のフローチャートに従って作成される同期検波検出波リストの例を示す図である。
【図７】本発明の第２の実施例による携帯端末機の同期検波動作を示すフローチャートである。
【符号の説明】
【００４９】
１    アンテナ部
２    ＬＮＡ部
３    バンドパスフィルター部
４    ミキサー部
５    可変増幅器部
６    直交復調器部
７    Ａ／Ｄ変換器部
８    アンチエリアジングフィルター部
９    ベースバンド部
１０    ＣＰＵ部
１１    ＰＬＬシンセサイザー部
【図１】
2006080701.tif 000003
【図２】
2006080701.tif 000004
【図３】
2006080701.tif 000005
【図４】
2006080701.tif 000006
【図５】
2006080701.tif 000007
【図６】
2006080701.tif 000008
【図７】
2006080701.tif 000009